(57)【要約】【課題】  携帯電話の機種に依存することなく、複数の接続台数にも対応でき、受信したメールデータや音声データ、着信履歴等を記憶したり、表示したりすることができる電子機器、携帯端末連携システムおよび携帯端末連携方法を提供する。【解決手段】  近距離無線通信部１３を備えた携帯電話１０と接続するための近距離無線通信部２１と、携帯電話１０の状態情報を近距離無線通信部２１を介して受信する受信部と、受信された携帯電話１０のメールデータ等の状態情報を表示装置３０に表示させる表示部を備える。【選択図】    図１
2005192041.tif 000002
【特許請求の範囲】
【請求項１】
携帯端末と無線接続するための通信手段と、
前記携帯端末の状態情報を前記通信手段を介して受信する受信手段と、
前記受信手段によって受信された前記携帯端末の状態情報を記憶する記憶手段と、
前記記憶手段によって記憶された前記携帯端末の状態情報を表示装置に送信する送信手段と、
を具備することを特徴とする電子機器。
【請求項２】
携帯端末と無線接続するための通信手段と、
前記携帯端末の状態情報を前記通信手段を介して受信する受信手段と、
前記受信手段によって受信された前記携帯端末の状態情報を記憶する記憶手段と、
前記記憶手段によって記憶された前記携帯端末の状態情報を表示する表示手段と、
を具備することを特徴とする電子機器。
【請求項３】
請求項１または請求項２に記載の電子機器において、
前記状態情報は、前記携帯端末が受信したメール情報、前記携帯端末に記憶された着信情報、前記携帯端末に記憶された音声情報、前記携帯端末のバッテリの残量情報のうち、いずれか１つ以上であることを特徴とする電子機器。
【請求項４】
請求項１または請求項２に記載の電子機器において、
前記通信手段は、近距離無線通信手段を備えた複数台の携帯端末と通信を行うことを特徴とする電子機器。
【請求項５】
請求項１乃至４に記載の電子機器において、
前記記憶手段に記憶された前記状態情報を任意の前記携帯端末に送信することを特徴とする電子機器。
【請求項６】
携帯端末と、この携帯端末と無線接続が可能である通信手段を備えた電子機器とから構成される携帯端末連携システムであって、
前記携帯端末の状態情報を前記通信手段を介して前記電子機器が受信する受信手段と、
前記受信手段によって受信された前記携帯端末の状態情報を記憶する記憶手段と、
前記記憶手段によって記憶された前記携帯端末の状態情報を表示する表示手段と、
を具備することを特徴とする携帯端末連携システム。
【請求項７】
請求項６に記載の携帯端末連携システムにおいて、
前記状態情報は、前記携帯端末が受信したメール情報、前記携帯端末に記憶された着信情報、前記携帯端末に記憶された音声情報、前記携帯端末のバッテリの残量情報のうち、いずれか１つ以上であることを特徴とする携帯端末連携システム。
【請求項８】
請求項６に記載の携帯端末連携システムにおいて、
前記記憶手段に記憶された前記状態情報を任意の前記携帯端末に送信することを特徴とする携帯端末連携システム。
【請求項９】
携帯端末と、この携帯端末と通信可能である通信手段を備えた電子機器とを用いた携帯端末連携方法であって、
前記携帯端末の状態情報を前記通信手段を介して前記電子機器が受信する受信ステップと、
前記受信ステップによって受信された前記携帯端末の状態情報を記憶する記憶ステップと、
前記受信ステップによって受信された前記携帯端末の状態情報を表示する表示ステップと、
を含むことを特徴とする携帯端末連携方法。
【請求項１０】
請求項９に記載の携帯端末連携方法において、
前記状態情報は、前記携帯端末が受信したメール情報、前記携帯端末に記憶された着信情報、前記携帯端末に記憶された音声情報、前記携帯端末のバッテリの残量情報のうち、いずれか１つ以上であることを特徴とする携帯端末連携方法。
【発明の詳細な説明】
【技術分野】
【０００１】
この発明は、携帯電話とＡＶ機器とを連携したシステムに係り、特に携帯電話の状態情報をＡＶ機器で記憶、表示させる電子機器、携帯端末連携システムおよび携帯端末連携方法に関する。
【背景技術】
【０００２】
１台の携帯電話とゲーム機器とを有線ケーブルで接続し、携帯電話に着信があった場合、ゲーム機器が接続されているＴＶ等に表示してユーザに知らせる（例えば、特許文献１）。
【特許文献１】特開２００２−２０４２８８。
【発明の開示】
【発明が解決しようとする課題】
【０００３】
ところが、このような構成では、携帯電話とゲーム機器とをケーブルで接続しているので、携帯電話の各社ごとのインターフェイスの違い等により、接続の可否が機種に依存してしまう。また、ゲーム機器の接続ポートの数だけの接続台数になってしまい、大抵のゲーム機器では１台の携帯電話しか接続することができない。また、携帯電話の着信状況のみが表示されるだけで、受信したメールデータや音声データ、着信履歴等を記憶したり、表示したりすることができない。
【０００４】
この発明は上記事情に着目してなされたもので、その目的とするところは、携帯端末の機種に依存することなく、携帯端末が受信したメールデータや音声データ、着信履歴等を記憶したり、表示したりすることができる電子機器、携帯端末連携システムおよび携帯端末連携方法を提供することにある。
【課題を解決するための手段】
【０００５】
本発明はかかる課題を解決するものであり、本発明は、携帯端末と無線接続するための通信手段と、前記携帯端末の状態情報を前記通信手段を介して受信する受信手段と、前記受信手段によって受信した状態情報を記憶する記憶手段と、前記記憶手段によって記憶された前記携帯端末の状態情報を表示装置に送信する送信手段とを具備することを特徴とするものである。
【０００６】
したがって本発明は、携帯端末と無線接続するための通信手段と、携帯端末の状態情報を無線通信手段を介して受信する受信手段と、受信手段によって受信された携帯端末の状態情報が記憶され、表示装置に送信する送信手段とが具備される。このため、携帯端末が受信したメールデータや音声データ、着信履歴等を電子機器であるＡＶ機器等に記憶したり、表示したりすることができる。
【発明の効果】
【０００７】
本発明によれば、携帯電話の機種に依存することなく、複数の接続台数にも対応でき、受信したメールデータや音声データ、着信履歴等を記憶したり、表示したりすることができる電子機器、携帯端末連携システムおよび携帯端末連携方法を提供することができる。
【発明を実施するための最良の形態】
【０００８】
（第１の実施形態）
以下、図面を参照しながら本発明の実施形態について説明する。
【０００９】
図１は、本発明の実施形態に係る電子機器を適用した携帯端末連携システムの構成を示すブロック図である。本発明の実施形態では、
本発明の実施形態の携帯端末連携システムは、Bluetooth（登録商標）等の近距離無線通信を用いて通信を行う携帯電話やＰＤＡ等の携帯端末１０と、この携帯端末１０と近距離無線通信を用いて、携帯端末１０内の各種情報を状態情報として受信して記憶するＤＶＤレコーダ２０と、このＤＶＤレコーダ２０と接続されている情報を表示するＴＶやモニター等の表示装置３０とから構成されており、携帯端末１０、ＤＶＤレコーダ２０および表示装置３０が連携して、携帯端末１０から送られてくる情報をＤＶＤレコーダ２０に記憶、表示装置３０に表示させるものである。
【００１０】
携帯端末１０は、電話回線と接続するための基地局通信部１１、基地局通信部１１を介して受信した情報等を記憶する不揮発性メモリ等の記憶部１２、ＤＶＤレコーダ２０と通信するためのBluetooth（登録商標）等の近距離無線通信部１３、携帯端末１０が受信した情報及び携帯端末のバッテリの残量変化等の状態情報の変化を検知する状態変化検知部１４を備える。また、携帯端末１０が複数台存在する場合でも、ＤＶＤレコーダ２０との連携を行うことができる。
【００１１】
ＤＶＤレコーダ２０は、携帯端末１０との通信を行うBluetooth（登録商標）等の近距離無線通信部２１、受信したデータを記憶する記憶型ＤＶＤやＨＤＤ等の記憶部２２、表示装置３０にデータを出力するためのデータ出力部２３とから構成されている。なお、ＤＶＤレコーダ２０は、ＨＤＤディスクをさらに内蔵しているＤＶＤ／ＨＤＤレコーダやＨＤＤのみを内蔵しているＨＤＤレコーダ、パーソナルコンピュータ等、記憶部、通信部及びデータ出力部を備えている機器で有ればよい。
【００１２】
次に、本発明の実施形態に係る携帯端末連携方法を適用した携帯端末連携システムの動作について図２を参照しながら説明する。
【００１３】
ステップＳ１で、携帯端末１０の状態変化検知部１４は、当該携帯端末１０の状態に変化があると、この変化を状態情報の変化として検知する。状態情報の変化としては、例えば、携帯端末１０によるメールデータの受信、音声データの記憶（留守番電話の音声データ等）、電話の着信、バッテリ残量の低下等である。なお、ここでは便宜上、メールデータとして説明を行う。そして、携帯端末１０の近距離無線通信部１３は、ＤＶＤレコーダ２０の近距離無線通信部２１と近距離無線通信を確立させ、ステップＳ２で、携帯端末１０の近距離無線通信部１３は、状態変化（メールデータの受信）が検知されると、例えば、受信したメールデータを、ＤＶＤレコーダ２０に送信する。ステップＳ３で、ＤＶＤレコーダ２０は、近距離無線通信部２１を介してメールデータを受信すると、記憶部２２に記憶する。記憶部２２に記憶する状態情報としては、受信したメールデータ、留守番電話等の音声データ、電話の着信履歴、バッテリの残量情報等があげられる。また、記憶型ＤＶＤやＨＤＤ等に記憶するため、携帯端末１０内のメモリ容量に制限されずにデータを保存することができる。
【００１４】
次にステップＳ４で、ＤＶＤレコーダ２０は、記憶部２２に記憶されているメールデータ、例えば、「メール有」あるいは、メールデータの題名、等を表示装置３０に送信する。表示装置３０は、ステップＳ５で、メールデータを受信すると、表示中の画面の一部、または全部を使って、メールデータを表示する（例えば、図３参照）。
【００１５】
以上で携帯端末連携システムの動作の説明を終了する。なお、ＤＶＤレコーダ２０から表示装置３０にメールデータを送信する代わりに、ＤＶＤレコーダ２０内にＬＥＤや液晶表示装置等の表示部を備え、携帯端末１０からの状態情報の変化を表示してもよい。例えば、メールデータの受信であれば、ＬＥＤを緑に点灯させたり、電話の着信であれば赤色に点灯させたり、液晶表示にメールデータの内容のうち、最初の数文字程度を表示させるようにしてもよい。
【００１６】
以上、本発明の実施形態を用いることにより、近距離無線通信を用いて携帯電話の機種に依存することなく、複数の接続台数にも対応でき、受信したメールデータや音声データ、着信履歴等を記憶したり、表示したりすることができる。
【００１７】
次に、本発明の別の実施形態に係る携帯端末連携方法を適用した携帯端末連携システムの動作について図４を参照しながら説明する。この実施形態では、携帯端末１０で受信したメールデータ等の状態情報をＤＶＤレコーダ２０に送信後、携帯端末１０内からは削除した状態情報を再びＤＶＤレコーダ２０から携帯端末１０に送信するものである。なお、ここでは便宜上、状態情報としてメールデータを用いて説明する。
【００１８】
まず、携帯端末１０の近距離無線通信部１３が、ＤＶＤレコーダ２０の近距離無線通信部２１と近距離無線通信を確立させ、携帯端末１０は、ステップＳ１０で、蓄積されたメールデータの送信要求をＤＶＤレコーダ２０に送信する。この送信要求とは、例えば、２００３年１０月１日から２００３年１１月１日までに受信したメールデータの送信要求、等である。ＤＶＤレコーダ２０は、ステップＳ１１で、送信要求に対応したメールデータを記憶部２２から読み出し、ステップＳ１２で、携帯端末１０に対して、読み出したメールデータの送信を行う。携帯端末１０は、ステップＳ１３で、受信したメールデータを携帯端末１０の記憶部１１に記憶する。また、任意に受信したメールデータを携帯端末１０の図示しない表示部に表示させる。
【００１９】
以上、本発明の別の実施形態を用いることにより、携帯端末１０に受信した状態情報を記憶型ＤＶＤやＨＤＤ等に記憶するため、携帯端末１０内のメモリ容量に制限されずにデータを保存でき、必要に応じてＤＶＤレコーダ２０から携帯端末１０に状態情報を転送することができる。
【００２０】
なお、上述した実施形態に説明した装置及びシステムは、記憶媒体に格納したプログラムをコンピュータに読み込ませることで実現させることができる。
【００２１】
ここで本発明における記憶媒体としては、磁気ディスク、フロッピーディスク、ハードディスク、光ディスク（ＣＤ−ＲＯＭ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【００２２】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【００２３】
さらに、本発明における記憶媒体は、コンピュータと独立した媒体に限らず、ＬＡＮやインターネット等により伝送されたプログラムをダウンロードして記憶又は一時記憶した記憶媒体も含まれる。
【００２４】
また、記憶媒体は1つに限らず、複数の媒体から本実施形態における処理が実行される場合も本発明における記憶媒体に含まれ、媒体構成は何らの構成であってもよい。
【００２５】
なお、本発明におけるコンピュータは、記憶媒体に記憶されたプログラムに基づき、本実施形態における各処理を実行するものであって、パソコン等の1つからなる装置、複数の装置がネットワーク接続されたシステム等の何れの構成であってもよい。
【００２６】
また、本発明におけるコンピュータとは、パソコンに限らず、情報処理機器に含まれる演算処理装置、マイコン等も含み、プログラムによって本発明の機能を実現することが可能な機器、装置を総称している。
【図面の簡単な説明】
【００２７】
【図１】本発明の実施形態に係る電子機器を適用した携帯端末連携システムの構成を示すブロック図。
【図２】本発明の実施形態に係る携帯端末連携方法を適用した携帯端末連携システムの動作を示したシーケンス図。
【図３】本発明の実施形態に係わる表示装置に受信データを表示させた時の模式図。
【図４】本発明の別の実施形態に係る携帯端末連携方法を適用した携帯端末連携システムの動作を示したシーケンス図。
【符号の説明】
【００２８】
１０…携帯端末、１１…基地局通信部、１２，２２…記憶部、１３，２１…近距離無線通信部、２０…ＤＶＤレコーダ、３０…表示装置、２３…データ出力部
【図１】
2005192041.tif 000003
【図２】
2005192041.tif 000004
【図３】
2005192041.tif 000005
【図４】
2005192041.tif 000006